(57)【特許請求の範囲】
【請求項１】
平面が矩形をなすパレット台の四辺に沿って正面板と背面板及び左右の側面板を解体可能に組み立てて構成される組立式ボックスパレットにおいて、
正面板又は背面板と左右の側面板とが交わるコーナー部の上部における一方の面板に、水平方向にスライドし、回転もするラッチ棒が設置され、該ラッチ棒の先端部は他方の面板を止めるべくほぼ直角に曲げた爪部に形成されていること、
前記ラッチ棒を手動操作するハンドルがラッチ棒へ垂れ下がり状態に取り付けられ、当該面板の外面には前記ハンドルの前進位置及び後退位置を規定する位置決めストッパが設けられていること、
当該面板のコーナー部の管状支柱の外側面に、前記ラッチ棒の爪部を通過させる形状、大きさの通し長孔が、前記管状支柱の幅寸の限度内で、且つ前記ハンドルが前記位置決めストッパの背を乗り越える高さまで回転された際の角度と一致するほぼ垂直方向上向きに形成されていること、
他方の面板のコーナー部材には、前記ラッチ棒の突き当たり位置を基点とする止め用長孔が、爪部を通過させる形状、大きさで、且つ前記ハンドルでラッチ棒を回転する角度範囲内において爪部と一致するほぼ水平方向横向きに形成されていること、
ラッチ棒を突き出させ、その先端部の爪部を前記他方の面板のコーナー部材の止め用長孔へ通し、ハンドルを前進位置の位置決めストッパへ納めた状態で二つの面板を結合する組立が行われ、逆に爪部を止め用長孔から離脱、後退させて面板相互の解体が行われ、更に爪部は当該面板の管状支柱外面の通し長孔にも通して管状支柱の中空部内に納めると共にハンドルは後退位置の位置決めストッパに納めることを特徴とする、組立式ボックスパレット。
【請求項２】
平面が矩形をなすパレット台の四辺に沿って正面板と背面板及び左右の側面板を解体可能に組み立てて構成される組立式ボックスパレットにおいて、
正面板又は背面板と左右の側面板とが交わるコーナー部の上部における一方の面板に、水平方向にスライドし、回転もするラッチ棒が設置され、該ラッチ棒の先端部は他方の面板を止めるべくほぼ直角に曲げた爪部に形成されていること、
前記ラッチ棒を手動操作するハンドルがラッチ棒へ垂れ下がり状態に取り付けられ、当該面板の外面には前記ハンドルの前進位置及び後退位置を規定する位置決めストッパが設けられていること、
当該面板のコーナー部の管状支柱の外側面に、前記ラッチ棒の爪部を通過させる形状、大きさの通し長孔が、前記ハンドルが前記位置決めストッパの背を乗り越える高さまで回転された際の角度と一致する向きに形成されていること、
当該面板のコーナー部の管状支柱外側面にほぼ垂直方向上向きに形成された通し長孔と、ラッチ棒を後退させて爪部を管状支柱の中空部内に納め、ハンドルを後退位置の位置決めストッパに納めた際の爪部の向きとは若干の角度ずれていること、及び前記爪部の位置は管状支柱の幅寸の範囲内に納っていること、
他方の面板のコーナー部材には、前記ラッチ棒の突き当たり位置を基点とする止め用長孔が、爪部を通過させる形状、大きさで、且つ前記ハンドルでラッチ棒を回転する角度範囲内において爪部と一致する向きに形成されていること、
ラッチ棒を突き出させ、その先端部の爪部を前記他方の面板のコーナー部材の止め用長孔へ通し、ハンドルを前進位置の位置決めストッパへ納めた状態で二つの面板を結合する組立が行われ、逆に爪部を止め用長孔から離脱、後退させて面板相互の解体が行われ、更に爪部は当該面板の管状支柱外面の通し長孔にも通して管状支柱の中空部内に納めると共にハンドルは後退位置の位置決めストッパに納めることを特徴とする、組立式ボックスパレット。
【発明の詳細な説明】
【０００１】
【発明の属する技術分野】
この発明は、各種の物品をフォークリフトによる荷扱いが可能に収容するボックスパレットに係り、更に言えば、物品の輸送後は四辺の各面板をパレット台から外して解体でき、小さな嵩にして返送時の効率を高められ、再び物品を収納するときには各面板を強固な剛構造に組み立て得る、組立式ボックスパレットの技術分野に属する。
【０００２】
【従来の技術】
従来、上述の如き組立式ボックスパレットは、例えば特公昭５７−３０７３５号、特開平９−６６９３９号公報等に記載されて種々公知、周知に属する。
【０００３】
従来一般の組立式ボックスパレットは、平面が矩形をなすパレット台の四辺に沿って正面板と背面板及び左右の側面板を解体可能な箱型に組み立てて構成される。各面板の下部は、例えばパレット台に鍵孔状に設けた止め孔へ、面板下部へ突出させたリベットを差し込む手法などで比較的簡単に強固に止められる。しかし、正面板又は背面板と左右の側面板とが交わるコーナー部の上部の結合を簡単にしかも強固な剛構造に行う手段の開発に種々な苦心がなされている。
【０００４】
というのも、組立式ボックスパレットの宿命として、物品の輸送後には四辺の各面板をパレット台から外して解体し、できるだけ小さな嵩にして返送時の効率を高めることが強く要求される。返送時の形態は、例えば図９に例示したように解体しない一つのボックスパレットａのボックスｂ内に、他の解体した組立式ボックスパレット複数個分の各面板ｃ，ｄを整然と効率よく詰め込む方式、或いは解体した面板をパレット台の上に平たく積み重ねて梱包する方式などを適宜選択して実施される。
【０００５】
そこで前者の方式を実行するときは、面板の両側縁に出っ張る物があると、箱ｂへの詰め込み作業に邪魔になって不都合である。また、前者、後者いずれの方式を実行するときでも、面板の厚さの範囲外へ突き出る物を無くすることが強く要望される。
【０００６】
従って、組立式ボックスパレットの特に正面板又は背面板と左右の側面板とが交わるコーナー部の上部を結合する組立手段に関しては、各面板の両側縁に出っ張る物がない条件を満たすことが強く要望される。
【０００７】
【本発明が解決しようとする課題】
よって、本発明の目的は、正面板又は背面板と左右の側面板とが交わるコーナー部の上部を結合する組立手段に関して、各面板の両側縁に出っ張る物がないこと、しかも各面板の最大厚さは例えば２０mm位に制限した構成で実施可能に改良した組立式ボックスパレットを提供することである。
【０００８】
【課題を解決するための手段】
上記従来技術の課題を解決するための手段として、請求項１記載の発明に係る組立式ボックスパレットは、
平面が矩形をなすパレット台の四辺に沿って正面板と背面板及び左右の側面板を解体可能に組み立てて構成される組立式ボックスパレットにおいて、
正面板又は背面板と左右の側面板とが交わるコーナー部の上部における一方の面板に、水平方向にスライドし、回転もするラッチ棒が設置され、該ラッチ棒の先端部は他方の面板を止めるべくほぼ直角に曲げた爪部に形成されていること、
前記ラッチ棒を手動操作するハンドルがラッチ棒へ垂れ下がり状態に取り付けられ、当該面板の外面には前記ハンドルの前進位置及び後退位置を規定する位置決めストッパが設けられていること、
当該面板のコーナー部の管状支柱の外側面に、前記ラッチ棒の爪部を通過させる形状、大きさの通し長孔が、前記管状支柱の幅寸の限度内で、且つ前記ハンドルが前記位置決めストッパの背を乗り越える高さまで回転された際の角度と一致するほぼ垂直方向上向きに形成されていること、
他方の面板のコーナー部材には、前記ラッチ棒の突き当たり位置を基点とする止め用長孔が、爪部を通過させる形状、大きさで、且つ前記ハンドルでラッチ棒を回転する角度範囲内において爪部と一致するほぼ水平方向横向きに形成されていること、
ラッチ棒を突き出させ、その先端部の爪部を前記他方の面板のコーナー部材の止め用長孔へ通し、ハンドルを前進位置の位置決めストッパへ納めた状態で二つの面板を結合する組立が行われ、逆に爪部を止め用長孔から離脱、後退させて面板相互の解体が行われ、更に爪部は当該面板の管状支柱外面の通し長孔にも通して管状支柱の中空部内に納めると共にハンドルは後退位置の位置決めストッパに納めることを特徴とする。
【０００９】
請求項２記載の発明に係る組立式ボックスパレットは、
平面が矩形をなすパレット台の四辺に沿って正面板と背面板及び左右の側面板を解体可能に組み立てて構成される組立式ボックスパレットにおいて、
正面板又は背面板と左右の側面板とが交わるコーナー部の上部における一方の面板に、水平方向にスライドし、回転もするラッチ棒が設置され、該ラッチ棒の先端部は他方の面板を止めるべくほぼ直角に曲げた爪部に形成されていること、
前記ラッチ棒を手動操作するハンドルがラッチ棒へ垂れ下がり状態に取り付けられ、当該面板の外面には前記ハンドルの前進位置及び後退位置を規定する位置決めストッパが設けられていること、
当該面板のコーナー部の管状支柱の外側面に、前記ラッチ棒の爪部を通過させる形状、大きさの通し長孔が、前記ハンドルが前記位置決めストッパの背を乗り越える高さまで回転された際の角度と一致する向きに形成されていること、
当該面板のコーナー部の管状支柱外側面にほぼ垂直方向上向きに形成された通し長孔と、ラッチ棒を後退させて爪部を管状支柱の中空部内に納め、ハンドルを後退位置の位置決めストッパに納めた際の爪部の向きとは若干の角度ずれていること、及び前記爪部の位置は管状支柱の幅寸の範囲内に納っていること、
他方の面板のコーナー部材には、前記ラッチ棒の突き当たり位置を基点とする止め用長孔が、爪部を通過させる形状、大きさで、且つ前記ハンドルでラッチ棒を回転する角度範囲内において爪部と一致する向きに形成されていること、
ラッチ棒を突き出させ、その先端部の爪部を前記他方の面板のコーナー部材の止め用長孔へ通し、ハンドルを前進位置の位置決めストッパへ納めた状態で二つの面板を結合する組立が行われ、逆に爪部を止め用長孔から離脱、後退させて面板相互の解体が行われ、更に爪部は当該面板の管状支柱外面の通し長孔にも通して管状支柱の中空部内に納めると共にハンドルは後退位置の位置決めストッパに納めることを特徴とする。
【００１１】
【発明の実施の形態】
図１〜図７に、請求項１及び２に記載した発明に係る組立式ボックスパレットの第１の実施形態を示している。
【００１２】
この組立式ボックスパレットは、図１と図２で明らかなように、平面が矩形をなすパレット台１の四辺に沿って正面板２と背面板３及び左右の側面板４、５を解体可能な箱型に組み立てて構成される。因みに、当該ボックスパレットの大きさの一例を示すと、正面を示した図２の左右方向（長手方向）の寸法が１５００mm弱で、高さ寸法は１０００mm余、そして、短手寸法は１１００mm余である。
【００１３】
パレット台１の四辺に沿って正面板２と背面板３及び左右の側面板４、５の下部を解体可能に組み立てる手段について詳しく説明することは省くが、上述した従来一般の手段、例えば各面板の下部は、パレット台に鍵孔状に設けた止め孔へ、面板下部へ突出させたリベットを差し込む手法などが実施される。
【００１４】
次に、正面板２又は背面板３と左右の側面板４、５とが交わるコーナー部の上部を結合する組立手段として、一方の面板、図示した実施形態の場合は正面板２に、水平方向にスライドし、回転もするラッチ棒１５が、同正面板２の外面へ固着した軸受板６に支持された形で設置されている。ラッチ棒１５は外径が９mm程度の鋼棒で作られており、その先端部は長さにして１７mmぐらいの範囲が、他方の面板を止めるべくほぼ直角に曲げた爪部１５ａに形成されている。
【００１５】
前記ラッチ棒１５を使用者が手動操作するハンドル７は、図示例の場合はやはり鋼棒をコ字形に加工した形状とされ、その両端部がラッチ棒１５へ垂れ下がり状態に溶接で取り付けられている。このハンドル７が図３及び図７のように垂れ下ったとき、前記爪部１５ａは図４のように垂直線から一定の角度θだけ傾くが、正面板２のコーナー部に位置する角管支柱２ａの幅寸内にきっちり納る方向に曲げられている。
【００１６】
当該正面板２の外面には、前記ハンドル７の前進位置及び後退位置を規定する一定高さの位置決めストッパ８、９が設けられている。この位置決めストッパ８、９の背の高さ（一例として１６mm）をはじめとして、上記のラッチ棒１５とその爪部１５ａ及び軸受板６、並びにハンドル７はいずれも、正面板２の実質厚さｔ（≒１９mm）の範囲内に納まる形状、構造とされている（図７参照）。
【００１７】
当該正面板２のコーナー部に位置する角管状支柱２ａの外側面（図３の左端面）に、前記ラッチ棒１５の爪部１５ａを通過させ得る形状、大きさの通し長孔１０が、前記ハンドル７が前記位置決めストッパ８又は９の背丈を乗り越える高さまで回転された際の角度θ（図３の場合θ≒１５゜）と一致する向きに形成されている。
【００１８】
つまり、通し長孔１０は、図４のように角管状支柱２ａの上記幅寸（≒１９mm）の限度内で垂直方向上向きに形成することにより、前述した長さ（≒１７mm）の爪部１５ａを楽に通す形状、大きさで設けることができる。そして、ハンドル７を前記位置決めストッパ８又は９の背丈を乗り越える高さ（前記の角度θ）まで回転すると、爪部１５ａと通し長孔１０の向きが一致して、爪部１５ａを通し長孔５ａの内外へ出し入れすることができる。
【００１９】
しかも、当該正面板２のコーナー部の管状支柱２ａの外側面に垂直方向上向きに形成された通し長孔１０と、ラッチ棒１５の爪部１５ａを角管状支柱２ａの中空部内に納め、ハンドル７を後退位置の位置決めストッパ９に納めて垂れ下がらせた際の爪部１５ａの向きとは、図４に示したように若干の角度θだけずれる構成とされている（図４の場合でθ≒１５゜）。そのため爪部１５ａを角管状支柱２ａの中空部内に納めると、以後ラッチ棒１５がむやみと出入りする（ずり動く）不都合は生じない。ハンドル７の前記垂れ下がり位置をきっちり規制するために、前後の位置決めストッパ８、９には、ハンドル固定用の凸部１２が設けられている。
【００２０】
他方の面板、本実施形態では左側の側面板４のコーナー部材４ａは、本実施例の場合、正面板２のコーナー部外側に被さるアングル形状の部材で構成されている。このコーナー部材４ａには、前記ラッチ棒１５が水平方向にスライドすると突き当たる位置を基点（一端の半円部の中心）とする長円形状の止め用長孔１１が、前記の爪部１５ａを通過させ得る形状、大きさで、且つ前記ハンドル７でラッチ棒１５を前記θプラス９０°回転する角度αの位置（図６の角度θ＋αの位置）に、爪部１５ａと一致する水平横向きに形成されている。
【００２１】
したがって、本発明の場合、使用者がボックスパレットを組み立てるにあたっては、ハンドル７の操作でラッチ棒１５を前方へ突き出させ、その先端部の爪部１５ａを他方の面板（左側の側面板４）のコーナー部材４ａに設けてある止め用長孔１１へ通し、ハンドル７を前進位置の位置決めストッパ８へ図３のように納めることにより、隣合う二つの面板２、４のコーナー部を結合する組立てが行われる。逆に爪部１５ａを止め用長孔１１から離脱、後退させることによって二つの面板相互の解体が行われる。こうした解体時には更に、爪部１５ａを当該正面板２の角管状支柱５ａの外側面の通し長孔１０にも通して同角管状支柱２ａの中空部内にまで引き込んで納める（図３の点線図示を参照）。そして、ハンドル７を後退位置の位置決めストッパ９へ納めることにより、当該正面板２は両側縁に出っ張る物がないように返送の準備が整えられる。
【００２２】
なお、前記コーナー部材４ａに設ける止め用長孔１１の角度は、図６に示す水平横向きの角度に限らない。図７に例示したように、ハンドル７を、前記θの回転角度を起点として、正面板２の上縁材２ｂに突き当る位置まで回転する角度βの範囲内であれば、いずれの角度にも設けて実施することができる。
【００２３】
図８は、左側の側面板４のコーナー部材４ａに、止め用長孔１１が、水平ではなく、少し左斜め上向きに形成された実施形態を示している。
【００２４】
【本発明が奏する効果】
請求項１及び２記載の発明に係る組立式ボックスパレットによれば、正面板又は背面板と左右の側面板とが交わるコーナー部の上部を結合する組立手段に関して、解体した各面板の両側縁に出っ張る物がない状態を実現できる。また、各面板の最大厚さを例えば２０mm位に制限した構成の範囲内でも十分に実施可能な構成である。よって組立式ボックスパレットの用途、機能を十分に発揮させることができる。
【図面の簡単な説明】
【図１】組立式ボックスパレットの全体構成を示した斜視図である。
【図２】組立式ボックスパレットの正面図である。
【図３】ラッチ棒の設置構造を示した部分図である。
【図４】図３の左側端面図である。
【図５】組立式ボックスパレットのコーナー部の結合状態を示した一部破断の平面図である。
【図６】側面板の構成を示した部分図である。
【図７】図５のＶII−ＶII矢視断面図である。
【図８】本発明の第２実施形態を示した斜視図である。
【図９】組立式ボックスパレットの解体時の返送方法を示した斜視図である。
【符号の説明】
１    パレット台
２    正面板
３    背面板
４、５    側面板
１５    ラッチ棒
１５ａ    爪部
７    ハンドル
８、９    位置決めストッパ
２ａ    管状支柱
１０    通し長孔
４ａ    コーナー部材
１１    止め用長孔
【図１】
0004416234.tif 000002
【図２】
0004416234.tif 000003
【図３】
0004416234.tif 000004
【図４】
0004416234.tif 000005
【図５】
0004416234.tif 000006
【図６】
0004416234.tif 000007
【図７】
0004416234.tif 000008
【図８】
0004416234.tif 000009
【図９】
0004416234.tif 000010